(57)【要約】【課題】カメラ付き携帯電話機を使用して、簡単にタイヤホイールの売買ができるタイヤホイールの売買方法を提供する。【解決手段】市場に流通するタイヤホイールの売買方法であって、ユーザが売却したいタイヤホイール５を、ユーザが所持するカメラ付き携帯電話機１で撮影して、画像情報を販売店へ送信し、販売店はユーザより送られてきた画像情報を基にタイヤホイール５の買い取り価格を査定して、査定価格をユーザのカメラ付き携帯電話機１へ送信することにより、タイヤホイール５の売買を行うようにしたことのより、普及率の高いカメラ付き携帯電話機１を使用してタイヤホイール５の売買が簡単に行えるようになる。【選択図】        図１
2004246788.tif 000002
【特許請求の範囲】
【請求項１】
市場に流通するタイヤホイールの売買方法であって、ユーザが売却したいタイヤホイールを、前記ユーザが所持するカメラ付き携帯電話機で撮影して、画像情報を販売店へ送信し、前記販売店は前記ユーザより送られてきた画像情報を基に前記タイヤホイールの買い取り価格を査定して、査定価格を前記ユーザの前記カメラ付き携帯電話機へ送信することにより、前記タイヤホイールの売買を行うことを特徴とするタイヤホイールの売買方法。
【請求項２】
市場に流通するタイヤホイールの売買方法であって、ユーザが売却したいタイヤホイールを、前記ユーザが所持するカメラ付き携帯電話機で撮影して、前記ユーザの個人情報及びタイヤホイール情報とともに画像情報を販売店へ送信し、前記販売店は前記ユーザより送られてきた個人情報及びタイヤホイール情報と画像情報を基に前記タイヤホイールの買い取り価格を査定して、査定価格を前記ユーザの前記カメラ付き携帯電話機へ送信することにより、前記タイヤホイールの売買を行うことを特徴とするタイヤホイールの売買方法。
【請求項３】
前記タイヤホイールは、中古のタイヤホイールであることを特徴とする請求項１または２に記載のタイヤホイールの売買方法。
【請求項４】
前記ユーザの個人情報及びタイヤホイール情報は、ユーザの名前、電話番号、ホイール名、ホイールサイズ、傷や汚れの状態、タイヤ名、タイヤサイズ、タイヤの残り山、取り付け車両名の少なくとも１情報が含まれていることを特徴とする請求項１ないし３の何れかに記載のタイヤホイールの売買方法。
【発明の詳細な説明】
【０００１】
【発明の属する技術分野】
本発明はカメラき携帯電話機を使用して、タイヤホイールの売買を行うタイヤホイールの売買方法に関する。
【０００２】
【従来の技術】
従来自動車には、新車購入時に予め装備されたタイヤホイールとは別に、自動車を購入したユーザが好みに合わせて購入するタイヤホイールがある。
このタイヤホイールの多くはアルミニウムホイール（アルミホイール）で、デザインの異なるものが種々使用されており、またアルミホイールメーカからは、毎月数十種類の新製品が販売されて市場に出回っているが、すでに販売されたアルミホイールも中古品として市場に流通しているため、アルミホイールの売買市場は活況を呈している。
中古市場を流通するアルミホイールは、多数のデザインがある上、同じデザインでも使用する自動車の車種等によりボルト孔の位置やサイズが異なることから、その種類は数万種類に及ぶと共に、生産時期や生産数等によって中古市場での価格は絶えず変動している。
【０００３】
また同じデザイン、同じ型式のアルミホイールであっても、傷や汚れの有無等によっても取り引き価格に差が生じることも多いことから、従来ではユーザが業者へ中古のタイヤホイールを売る場合、ユーザが業者の販売店へ車ごとタイヤホイールを持ち込んでその場で査定を受けた後、査定価格がユーザの納得する価格となったときに商談が成立するといった方法で中古タイヤホイールの売買が行われている。
逆にユーザが自分の自動車に合わせて好みのタイヤホイールを購入する場合も、ユーザが販売店へ出向いて、販売店に展示されているタイヤホイールの中から好みのデザインのタイヤホイールを選択したり、展示されているタイヤホイールの中に好みのデザインのタイヤホイールが無い場合は、販売店に備え付けられたカタログや専門誌、自分で購入した専門誌等から好みのデザインのタイヤホイールを見つけて、販売店に取り寄せてもらう等の方法でタイヤホイールの売買を行っている。
【０００４】
一方、通信システムを利用して中古品の売買を行う方法として、例えば特許文献１に記載された方法が公知である。
【０００５】
【特許文献１】
特開２００２−１５１７７号公報
【０００６】
前記特許文献１に記載の中古機械の販売方法は、音声付き動画像を含む中古機械の現況情報にリンクされた商品案内を、コンピュータ通信システムを利用して買い手に送信するようにしたもので、現物確認のための時間や労力を無くして販売効率の促進が図れる効果を有している。
【０００７】
【発明が解決しようとする課題】
しかし前者の販売方法では、ユーザが車ごと販売店に出向いてタイヤホイールの査定を受けた後売買を行うため、タイヤホイールの売買に時間と手間がかかる上、近所に販売店がない地方等の場合、遠方の販売店にまで出向いてタイヤホイールを売買しなければならないため、さらに時間と手間がかかる等の問題がある。
また希望するデザインや型式のタイヤホイールが販売店になかったり、カタログや専門誌から選択したタイヤホイールを取り寄せてもらう場合は、後日再び販売店へ出向かなければならないため、タイヤホイールを売買するために多くの時間と労力を浪費すると共に、中古のタイヤホイールを少しでも高く売るため、複数の業者に査定させて、もっとも高値を付けた業者に売ろうとしても、近くに複数の業者が存在しない場合は、複数の業者から査定を受けることもできない等の問題もある。
【０００８】
一方特許文献１に記載された販売方法では、コンピュータによる通信システムを使用するため、通信システムを利用できる環境を持たないユーザは売買に参加できないと共に、画像情報を送る場合、動画や静止画を一旦コンピュータへ取り込んでから、ユーザや販売店へ送信しなければならないため、手間がかかる等の問題もある。
【０００９】
本発明はかかる従来の問題を改善するためになされたもので、カメラ付き携帯電話機を使用して、簡単にタイヤホイールの売買ができるタイヤホイールの売買方法を提供することを目的とするものである。
【００１０】
【課題を解決するための手段】
前記目的を達成するため本発明のタイヤホイールの売買方法は、市場に流通するタイヤホイールの売買方法であって、ユーザが売却したいタイヤホイールを、ユーザが所持するカメラ付き携帯電話機で撮影して、画像情報を販売店へ送信し、販売店はユーザより送られてきた画像情報を基にタイヤホイールの買い取り価格を査定して、査定価格をユーザのカメラ付き携帯電話機へ送信することにより、タイヤホイールの売買を行うようにしたものである。
【００１１】
前記構成により、ユーザがタイヤホイールを売却する場合、タイヤホイールをカメラ付き携帯電話機により撮影して、その画像情報を販売店へ送信することにより、買い取り時の査定額がユーザが所持するカメラ付き携帯電話機に送られてくるため、ユーザは複数の業者から簡単に査定額を得ることができるようになり、これによって査定額の最も高い業者にタイヤホイールを売却することができると共に、商談の成立したタイヤホイールの受け渡し時にのみ販売店へ出向けばよいため、時間と労力を大幅に削減することができる。
また普及率の高いカメラ付き携帯電話機を使用してタイヤホイールの売買が行えるため、コンピュータによる通信システムが使用できない環境にあるユーザであっても、気軽にタイヤホイールの売買が行えると共に、カメラ付き携帯電話機で撮影した画像情報を直接販売店へ送信することができるため、デジタルカメラ等で撮影した画像情報をコンピュータに取り込んで送信するものに比べて、画像情報を送信する手間を大幅に削減することができる。
【００１２】
前記目的を達成するため本発明のタイヤホイールの売買方法は、市場に流通するタイヤホイールの売買方法であって、ユーザが売却したいタイヤホイールを、ユーザが所持するカメラ付き携帯電話機で撮影して、ユーザの個人情報及びタイヤホイール情報とともに画像情報を販売店へ送信し、販売店はユーザより送られてきた個人情報及びタイヤホイール情報と画像情報を基にタイヤホイールの買い取り価格を査定して、査定価格をユーザのカメラ付き携帯電話機へ送信することにより、タイヤホイールの売買を行うようにしたものである。
【００１３】
前記構成により、ユーザがタイヤホイールを売却する場合、タイヤホイールをカメラ付き携帯電話機で撮影した画像情報とともに個人情報及びタイヤホイール情報も販売店へ送信されるため、販売店はタイヤホイールの査定を短時間、かつより正確に行えるようになり、これによってリアルタイムでタイヤホイールの売買が行えるため、多数のユーザから査定の申し込みがあっても能率よく処理することができると共に、ユーザは商談の成立したタイヤホイールの受け渡し時にのみ販売店へ出向けばよいため、近くに販売店がない地方等のユーザであっても、最小限の時間と手間でタイヤホイールの売買が行えるようになる。
【００１４】
前記目的を達成するため本発明のタイヤホイールの売買方法は、中古のタイヤホイールを売買するようにしたものである。
【００１５】
前記構成により、市場に多種類が流通し、しかも価格が絶えず変動する中古のタイヤホイールであっても、適正な価格で売買することができるようになる。
【００１６】
前記目的を達成するため本発明のタイヤホイールの売買方法は、ユーザの個人情報及びタイヤホイール情報は、ユーザの名前、電話番号、ホイール名、ホイールサイズ、傷や汚れの状態、タイヤ名、タイヤサイズ、タイヤの残り山、取り付け車両名の少なくとも１情報が含まれるようにしたものである。
【００１７】
前記構成により、タイヤホイールの査定を短時間、かつより正確に行えると共に、多数のユーザから査定の申し込みがあっても、査定額を取り違える等のミスを防止することができる。
【００１８】
【発明の実施の形態】
本発明の実施の形態を、図面を参照して説明する。
図１はタイヤホイールの売買方法に使用する売買システムの構成図、図２は売買の流れを示すフローチャートである。
図１に示す売買システムは、複数のユーザが所持するカメラ付き携帯電話機１と、中古タイヤホイールを売買する販売店２に設置された査定手段３より構成されており、カメラ付き携帯電話機１と査定手段３の間は電話回線４を介して接続されている。
ユーザが所持するカメラ付き携帯電話機１は、ＣＣＤカメラ１ａが内蔵されていて、通常の通話と、メールによる交信の他に、ＣＣＤカメラ１ａにより撮影した画像情報を販売店２に設置された査定手段３へメール送ったり、販売店２よりメールで送られる画像情報を液晶表示部１ｂに画像として表示できる機能を有している。
【００１９】
またユーザは所有する自動車（図示せず）に予め装着されているタイヤホイール５に飽きがきたり、自動車をさらにドレスアップする等の理由で、別のタイヤホイール５と交換したい場合、選択肢として現在使用しているタイヤホイール５を残して新たに新品のタイヤホイール５を購入する方法と、現在使用しているタイヤホイール５を中古品として売却し、新品のタイヤホイール５や中古のタイヤホイール５を新たに購入方法がある。
【００２０】
現在使用しているタイヤホイール５を残して新たに新品のタイヤホイール５を購入する場合は、希望するデザインや種類のタイヤホイール５をカタログや専門誌等で選択して販売店２に注文するか、販売店２へ出向いて直接購入すればよいが、現在使用しているタイヤホイール５を売却して、新たに新品のタイヤホイール５を購入したり、中古のタイヤホイール５を購入する場合は、図２に示すような流れとなる。
ユーザが現在使用しているタイヤホイール５の売却を決定した場合の売却方法としては、友人と直接交渉して友人に売却する方法と、インターネットによる通信システムが使用できる環境にある場合は、インターネットオークションを利用して売却する方法、そして本発明の売買方法を利用して売却する方法がある。
【００２１】
前者の友人に直接売却する方法及びインターネットオークションで売却する方法は、本発明の範囲外なのでその説明は省略し、本発明の売買方法について図２に示すフローチャートを参照して説明する。
まずステップＳ１でユーザが現在使用（または所有）しているタイヤホイール５を売却したい場合は、ステップＳ２で進んで、ユーザが所持するカメラ付き携帯電話機１を使用して、売却したいタイヤホイール５を撮影し、個人情報及びタイヤホイール情報とともに画像情報をメールで販売店２へ送信する。
ユーザが売却したいタイヤホイール５が複数本（原則は４本）の場合は、各タイヤホイール５すべてを撮影して、画像情報を販売店２へ送信する。これは同じデザイン、同じ型式のタイヤホイール５であっても、傷や汚れ等の外的要因により査定額に格差が発生するためである。
【００２２】
また個人情報及びタイヤホイール情報としては、次のようなものがある。
１、ユーザの名前
２、電話番号
３、ホイール名（メーカ名等）
４、サイズ（○Ｊ×○インチ）
５、傷や汚れの状態
６、タイヤ名
７、タイヤサイズ（○○○／○○○）
８、タイヤの残り山
９、取り付け車両名
【００２３】
一方販売店２では、ユーザからカメラ付き携帯電話機１で送られてきた個人情報及びタイヤホイール情報を査定手段３へ入力してステップＳ３でチェックし、初めに送られてきた画像情報では傷や汚れの具合が明確でないため査定が不能な場合は、ユーザのカメラ付き携帯電話機１に、傷や汚れ等が分かる画像を再度送るようにメールや電話で通知する。
販売店２からの不足情報の追加依頼に応じてユーザは、カメラ付き携帯電話機１を使用して指定された個所をステップＳ２で再度撮影し、画像情報を販売店２へ再送信する。
販売店はユーザより受信した画像情報及び追加情報が揃って査定が可能な状態になったら、ステップＳ４で査定手段３の表示部３ａに画像情報を表示させて、各タイヤホイール５毎に査定を行う。
査定に当たっては、予め査定手段３のデータベース３ｂに蓄積されたデータを基に行うと共に、傷や汚れ等の外的要因は査定員の経験を基に査定を行う。
【００２４】
以上の流れを繰り返すことにより、ユーザが売却したいタイヤホイール５の査定額が決定したら、販売店２はステップＳ５でユーザのカメラ付き携帯電話機１へ査定額を送信し、ユーザが査定額でタイヤホイール５の売却を決定したら、ステップＳ６でその旨を販売店へ通知することによりタイヤホイール５の商談が成立する。
そして売買の成立後はユーザが自動車とともにタイヤホイール５を販売店へ持ち込んで、ステップＳ７で販売店２は中古のタイヤホイール５を受け取り、ユーザは査定額を受け取ることにより売買が終了する。
以上はユーザが現在使用している中古タイヤホイール５を売却する場合の流れであるが、ユーザが中古のタイヤホイール５を売却する際、同時に別のタイヤホイール５を購入することになる。
【００２５】
ユーザが購入するタイヤホイール５の購入方法としては、新品のタイヤホイール５を購入する場合と中古のタイヤホイール５を購入する場合とでは多少異なるが、本発明の売買方法により中古のタイヤホイール５を購入する方法について説明する。
まずユーザは、購入したいタイヤホイール５のデザインや型式をカタログや専門誌等から選択したら、カメラ付き携帯電話機１から販売店２に個人情報とともに希望するタイヤホイール情報を送信する。
【００２６】
ユーザより購入希望の個人情報及びタイヤホイール情報を受信した販売店２は、ユーザの希望するタイヤホイール情報を基に新品または中古の価格をデータベース３ｂより読み出し、ユーザのカメラ付き携帯電話機１へ送信する。このときタイヤホイール５の画像情報も同時に送信することにより、ユーザは購入するタイヤホイール５の画像を、カメラ付き携帯電話機１の表示部１ｂに表示される画像で確認できるため、安心して取り引きができるようになる。
タイヤホイール５の購入を決定したら、その旨をカメラ付き携帯電話機１により販売店２へ通知することにより商談が成立し、その後販売店２から希望したタイヤホイール５の入荷の通知があったら、販売店２へ出向いて、商談の成立したタイヤホイール５を購入するもので、現在使用しているタイヤホイール５を売却する場合は、売却と購入を同時に行うことにより、販売店２へ出向く時間と手間の削減が図れるようになる。
【００２７】
【発明の効果】
本発明は以上詳述したように、ユーザがタイヤホイールを売却する場合、タイヤホイールをカメラ付き携帯電話機により撮影して、その画像情報を販売店へ送信することにより、買い取り時の査定額がユーザが所持するカメラ付き携帯電話機に送られてくるため、ユーザは複数の業者から簡単に査定額を得ることができるようになり、これによって査定額の最も高い業者にタイヤホイールを売却することができると共に、商談の成立したタイヤホイールの受け渡し時にのみ販売店へ出向けばよいため、時間と労力を大幅に削減することができる。
【００２８】
また普及率の高いカメラ付き携帯電話機を使用してタイヤホイールの売買が行えるため、コンピュータによる通信システムが使用できない環境にあるユーザであっても、気軽にタイヤホイールの売買が行えると共に、カメラ付き携帯電話機で撮影した画像情報を直接販売店へ送信することができるため、デジタルカメラ等で撮影した画像情報をコンピュータに取り込んで送信するものに比べて、画像情報を送信する手間を大幅に削減することができる。
【００２９】
さらにユーザの個人情報及びタイヤホイール情報とともに画像情報を販売店へ送信し、販売店はユーザより送られてきた個人情報及びタイヤホイール情報と画像情報を基にタイヤホイールの買い取り価格を査定するようにしたことから、販売店はタイヤホイールの査定を短時間、かつより正確に行えるようになり、これによってリアルタイムでタイヤホイールの売買が行えるため、多数のユーザから査定の申し込みがあっても能率よく処理することができると共に、ユーザは商談の成立したタイヤホイールの受け渡し時にのみ販売店へ出向けばよいため、近くに販売店がない地方等のユーザであっても、最小限の時間と手間でタイヤホイールの売買が行えるようになる。
【００３０】
また中古のタイヤホイールを売買するようにすれば、市場に多種類が流通し、しかも価格が絶えず変動する中古のタイヤホイールであっても、適正な価格で売買することができると共に、ユーザの個人情報及びタイヤホイール情報に、ユーザの名前、電話番号、ホイール名、ホイールサイズ、傷や汚れの状態、タイヤ名、タイヤサイズ、タイヤの残り山、取り付け車両名の少なくとも１情報が含まれるようにすることにより、タイヤホイールの査定を短時間、かつより正確に行える上、多数のユーザから査定の申し込みがあっても、査定額を取り違える等のミスを防止することができる。
【図面の簡単な説明】
【図１】本発明の実施の形態になるタイヤホイールの売買方法に使用する売買システムの構成図である。
【図２】本発明の実施の形態になるタイヤホイールの売買方法の流れを示すフローチャートである。
【符号の説明】
１  カメラ付き携帯電話機
２  販売店
３  査定手段
４  電話回線
５  タイヤホイール
【図１】
2004246788.tif 000003
【図２】
2004246788.tif 000004